(57)【特許請求の範囲】
【請求項１】
本体部（１）の上方に配置されるかみそりヘッド（２）に、前後一対の内刃（５１）・（５１）を備えた内刃ユニット（１６）と、前後一対の外刃（６７）・（６７）を備えた外刃ユニット（１７）とが、それぞれ着脱可能に設けられており、前後一対の内刃（５１）・（５１）は、互いの対向周面へ向かって内向きに回転駆動できるよう構成されており、
一対の内刃（５１）・（５１）の間に形成される中央空間（Ｓ）に、中央空間（Ｓ）に臨む内刃（５１）・（５１）の対向周面を遮蔽する防護体（５３）と、防護体（５３）を移動付勢する作動ばね（５６）を含む内刃用の安全機構が配置されており、
防護体（５３）は、中央空間（Ｓ）から退避する待機位置と、中央空間（Ｓ）に進出して内刃（５１）・（５１）の対向周面を遮蔽する作動位置との間を往復移動できるように支持されて、作動ばね（５６）で作動位置へ向かって移動付勢されており、
外刃ユニット（１７）をかみそりヘッド（２）に装着した状態において、防護体（５３）が作動ばね（５６）の付勢力に抗して待機位置に位置保持され、外刃ユニット（１７）をかみそりヘッド（２）から取り外した状態において、防護体（５３）が作動ばね（５６）の付勢力で作動位置へ進出移動できる電気かみそり。
【請求項２】
内刃ユニット（１６）が、前後一対の内刃（５１）・（５１）と、両内刃（５１）・（５１）を回転自在に軸支する内刃フレーム（５０）とを含んで構成されており、
防護体（５３）、および作動ばね（５６）が内刃フレーム（５０）に組み付けてある請求項１記載の電気かみそり。
【請求項３】
安全機構が、内刃フレーム（５０）に設けた左右一対の軸受壁（５０ｂ）で上下揺動自在に軸支される防護体（５３）と、防護体（５３）の揺動軸（５２）に固定されるピニオン（５４）と、前記側壁（５０ｂ）で上下スライド自在に案内支持されてピニオン（５４）を回動操作する操作ラック（５５）と、操作ラック（５５）を介して防護体（５３）を起立付勢する作動ばね（５６）とを含み、
外刃ユニット（１７）に、作動ばね（５６）の付勢力に抗して操作ラック（５５）を押し下げ操作する連動片（６１）が設けてある請求項１または２記載の電気かみそり。
【請求項４】
中央空間（Ｓ）に前後一対の防護体（５３）・（５３）が対向配置されて、両防護体（５３）・（５３）の揺動軸（５２）・（５２）のそれぞれにピニオン（５４）・（５４）が固定されており、
両防護体（５３）・（５３）は、揺動軸（５２）に連続する基部（５７）と、基部（５７）から所定間隔置きに突設されて内刃（５１）の対向周面を遮蔽する複数個の防護片（５８）とを備えており、
待機位置における両防護体（５３）・（５３）の防護片（５８）・（５８）が、中央空間（Ｓ）の前後中心を越えて、対向する基部（５７）・（５７）に近接する状態で互い違い状に突設してある請求項３記載の電気かみそり。
【請求項５】
外刃ユニット（１７）が、外刃ホルダー（６３）と、外刃ホルダー（６３）に対して着脱自在に装着される外刃カートリッジ（６４）とで構成されており、
外刃カートリッジ（６４）が、上下面が開口するカートリッジ枠（６５）と、カートリッジ枠（６５）の内面の前後中央に配置されるばね受枠（６６）と、カートリッジ枠（６５）とばね受枠（６６）とで逆Ｕ字に保形支持される網刃からなる前後一対の外刃（６７）・（６７）とを含み、前後の外刃（６７）・（６７）の固定端が、それぞれカートリッジ枠（６５）の前壁と後壁に固定されて、ばね受枠（６６）に設けた外刃緊張構造で緊張付勢されており、
外刃緊張構造が、前後の外刃（６７）・（６７）の緊張端が固定される緊張ピース（８５）と、緊張ピース（８５）を上下動自在に支持するばね受枠（６６）のガイド桟（８３）と、緊張ピース（８５）とばね受枠（６６）との間に配置されて、緊張ピース（８５）を押し下げ付勢する外刃ばね（８６）とを含み、
緊張ピース（８５）が下向きに開口する断面コ字状に形成されて、ガイド桟（８３）で上下動は自在に、しかし前後傾動は不能に案内支持してある請求項１から４のいずれかに記載の電気かみそり。
【請求項６】
ばね受枠（６６）のガイド桟（８３）の上方には、緊張ピース（８５）および外刃ばね（８６）をばね受枠（６６）に組み付けるための空所（８２）が前後貫通状に形成されており、
外刃ばね（８６）が、前後いずれか一方の外刃（６７）の緊張端と同時に緊張ピース（８５）に固定される装着壁（８９）と、緊張ピース（８５）の上面に接当する上壁（９０）と、上壁（９０）に連続して張り出される複数のばね腕（９１）と、装着壁（８９）の左右側縁のそれぞれに張り出し形成した規制片（９２）とを一体に備えており、
規制片（９２）が、前記空所（８２）の左右周縁壁で受け止め支持してある請求項５記載の電気かみそり。
【発明の詳細な説明】
【技術分野】
【０００１】
本発明は、かみそりヘッドにロータリー刃からなる前後一対の内刃を備えている電気かみそりに関する。
【背景技術】
【０００２】
前後一対の内刃を備えている電気かみそりにおいて、モーターの回転動力を前後一対の内刃に対して互いに逆転する状態で伝動することは、特許文献１に開示してある。そこでは、第１内刃と第２内刃とを互いに隣接側面側へ向かって内向きに回転駆動することが開示してある。前後一対の内刃を内向きに回転駆動する電気かみそりは特許文献２にも開示されている。
【０００３】
本発明の電気かみそりは、前後一対の内刃、および前後一対の外刃のそれぞれをカートリッジ化して、内刃および外刃の交換をカートリッジ単位で簡便に行えるようにするが、この種の電気かみそりは、本出願人が先に提案している特許文献３に公知である。
【０００４】
【特許文献１】特開平５−３１７５３５号公報（段落番号００１７、図７）
【特許文献２】実開昭４８−９５８８７号公報（第２頁下段、第３図）
【特許文献３】特開２００４−２４８９７９号公報（段落番号００２９〜００３３、図８）
【発明の開示】
【発明が解決しようとする課題】
【０００５】
ロータリー式の内刃を備えた電気かみそりにおいては、外刃ホルダーをかみそりヘッドから取り外した状態において、前後一対の内刃を完全に露出させることにより、内刃を構成する小刃や、プラスチック製の小刃軸の周面、あるいは内刃の周辺の壁面などに付着した毛屑の清掃を簡便に行える。しかし、内刃を露出させた状態においては、その周面に設けたスパイラル状の小刃の一群も同時に露出する。そのため、前後一対の内刃の間に誤って指先を差し込んだ場合に、指先を負傷するおそれがある。とくに、前後一対の内刃を、互いに隣接側面側へ向かって内向きに回転駆動してひげ切断を行う電気かみそりにおいては、前後一対の内刃の間に指先が差し込まれた状態において、指先の皮膚が小刃の切刃に接触するため負傷しやすい。
【０００６】
特許文献３の電気かみそりにおいては、前後一対の内刃の間にセンター刃が配置してある。そのため、センター刃の配置スペースの分だけ内刃の隣接間隔が大きくならざるを得ず、先のように前後一対の内刃の間に誤って指先を差し込みやすい。
【０００７】
本発明の目的は、前後一対の内刃を備えた電気かみそりにおいて、前後一対の内刃の間に誤って指先が差し込まれて負傷するのを確実に防止し、電気かみそりの安全性を向上することにある。本発明の目的は、内刃の隣接間隔が大きい場合にも、指先が内刃の間に入り込むのを積極的に阻止して、指先などの負傷を確実に防止できる、安全性に優れた電気かみそりを提供することにある。
【課題を解決するための手段】
【０００８】
本発明の電気かみそりは、本体部１の上方に配置されるかみそりヘッド２に、前後一対の内刃５１・５１を備えた内刃ユニット１６と、前後一対の外刃６７・６７を備えた外刃ユニット１７とを、それぞれ着脱可能に設ける。前後一対の内刃５１・５１は、互いの対向周面へ向かって内向きに回転駆動できるよう構成する。一対の内刃５１・５１の対向周面間に形成される中央空間Ｓに、防護体５３を含む内刃用の安全機構を配置する。以て、外刃ユニット１７をかみそりヘッド２から取り外した状態において、中央空間Ｓに臨む内刃５１・５１の対向周面が防護体５３で遮蔽されるように構成する。
【０００９】
具体的には、一対の内刃５１・５１の間に形成される中央空間Ｓに、中央空間Ｓに臨む内刃５１・５１の対向周面を遮蔽する防護体５３と、防護体５３を移動付勢する作動ばね５６を含む内刃用の安全機構を配置する。防護体５３は、中央空間Ｓから退避する待機位置と、中央空間Ｓに進出して内刃５１・５１の対向周面を遮蔽する作動位置との間を往復移動できるように支持し、作動ばね５６で作動位置へ向かって移動付勢する。以て、外刃ユニット１７をかみそりヘッド２に装着した状態において、防護体５３が作動ばね５６の付勢力に抗して待機位置に位置保持され、外刃ユニット１７をかみそりヘッド２から取り外した状態において、防護体５３が作動ばね５６の付勢力で作動位置へ進出移動できるようにする。
【００１０】
内刃ユニット（１６）は、前後一対の内刃５１・５１と、両内刃５１・５１を回転自在に軸支する内刃フレーム５０とを含んで構成し、防護体５３、および作動ばね５６を、内刃フレーム５０に組み付ける。
【００１１】
安全機構が、内刃フレーム５０に設けた左右一対の軸受壁５０ｂで上下揺動自在に軸支される防護体５３と、防護体５３の揺動軸５２に固定されるピニオン５４と、前記側壁５０ｂで上下スライド自在に案内支持されてピニオン５４を回動操作する操作ラック５５と、操作ラック５５を介して防護体５３を起立付勢する作動ばね５６とを含む。外刃ユニット１７に、作動ばね５６の付勢力に抗して操作ラック５５を押し下げ操作する連動片６１を設ける。
【００１２】
中央空間Ｓに前後一対の防護体５３・５３を対向配置し、両防護体５３・５３の揺動軸５２・５２のそれぞれにピニオン５４・５４を固定する。両防護体５３・５３は、揺動軸５２に連続する基部５７と、基部５７から所定間隔置きに突設されて内刃５１の対向周面を遮蔽する複数個の防護片５８とを備えている。待機位置における両防護体５３・５３の防護片５８・５８は、中央空間Ｓの前後中心を越えて、対向する基部５７・５７に近接する状態で互い違い状に突設する。
【００１３】
外刃ユニット１７は、外刃ホルダー６３と、外刃ホルダー６３に対して着脱自在に装着される外刃カートリッジ６４とで構成する。外刃カートリッジは６４が、上下面が開口するカートリッジ枠６５と、カートリッジ枠６５の内面の前後中央に配置されるばね受枠６６と、カートリッジ枠６５とばね受枠６６とで逆Ｕ字に保形支持される網刃からなる前後一対の外刃６７・６７とを含む。前後の外刃６７・６７の固定端は、それぞれカートリッジ枠６５の前壁と後壁に固定されて、ばね受枠６６に設けた外刃緊張構造で緊張付勢する。外刃緊張構造は、前後の外刃６７・６７の緊張端が固定される緊張ピース８５と、緊張ピース８５を上下動自在に支持するばね受枠６６のガイド桟８３と、緊張ピース８５とばね受枠６６との間に配置されて、緊張ピース８５を押し下げ付勢する外刃ばね８６とを含む。緊張ピース８５は下向きに開口する断面コ字状に形成されて、ガイド桟８３で上下動は自在に、しかし前後傾動は不能に案内支持する。
【００１４】
ばね受枠６６のガイド桟８３の上方には、緊張ピース８５および外刃ばね８６をばね受枠６６に組み付けるための空所８２を前後貫通状に形成する。外刃ばね８６は、前後いずれか一方の外刃６７の緊張端と同時に緊張ピース８５に固定される装着壁８９と、緊張ピース８５の上面に接当する上壁９０と、上壁９０に連続して張り出される複数のばね腕９１と、装着壁８９の左右側縁のそれぞれに張り出し形成した規制片９２とを一体に備えている。規制片９２は、前記空所８２の左右周縁壁で受け止め支持する。
【発明の効果】
【００１５】
本発明では、一対の内刃５１・５１の対向周面間に形成される中央空間Ｓに、防護体５３を含む内刃用の安全機構を配置し、外刃ユニット１７をかみそりヘッド２から取り外した状態において、内刃５１・５１の対向周面を防護体５３で遮蔽して、中央空間Ｓに差し込まれた指先が内刃５１・５１の対向周面に接触するのを確実に防止できるようにした。したがって、本発明の電気かみそりによれば、前後一対の内刃５１・５１の間に誤って指先が差し込まれるのを防護体５３で妨げ、あるいは前後一対の内刃５１・５１の間に差し込まれた指先が内刃５１・５１の対向周面に臨む小刃に触れるのを確実に防止できるので、前後一対の内刃５１・５１を備えた電気かみそりの安全性を向上することができる。
【００１６】
電気かみそりを肌面に沿って一定方向へ一定速度で移動させながらひげ切断を行うとき、正転する内刃５１は、外刃６７の刃穴の移動方向下手側に位置する刃面で捕捉されたひげを切断（迎え切断）できるが、逆転する内刃５１は、外刃６７の刃穴の移動方向上手側に位置する刃面で受け止めたひげを切断（追いかけ切断）せざるをえず、ひげが内刃５１で引っ張られやすい。しかし、前後一対の内刃５１・５１が、互いの対向周面へ向かって内向きに回転駆動できるよう構成してあると、逆転駆動される側の内刃５１は、主として正転する内刃５１で切断された短いひげを切断することになるので、切断前のひげが逆転する内刃５１によって引っ張られるのを抑止でき、これにより引っ張り感を伴うこともなく快適にひげ切断を行うことができる。正転する内刃５１で切断されたひげを、逆転する内刃５１で逆向きに再度切断できるので、例えば、前後の内刃のそれぞれが正転駆動される場合に比べて、深ぞりできる。
【００１７】
中央空間Ｓから退避する待機位置と、中央空間Ｓに進出して内刃５１・５１の対向周面を遮蔽する作動位置との間を往復移動できるように支持した防護体５３と、防護体５３を作動位置へ向かって移動付勢する作動ばね５６などで安全機構を構成し、外刃ユニット１７をかみそりヘッド２に装着した状態において防護体５３が待機位置に位置保持され、外刃ユニット１７をかみそりヘッド２から取り外した状態において、防護体５３が作動ばね５６の付勢力で作動位置へ進出移動できるようにしてあると、図１に示すように外刃ユニット１７をかみそりヘッド２から取り外し操作するのと同時に、防護体５３を作動位置へ進出移動させて内刃５１・５１の対向周面を自動的に遮蔽できるので、使用者の認識の度合いとは無関係に確実に内刃５１・５１の対向周面を遮蔽して、電気かみそりの安全性をさらに向上できる。
【００１８】
前後一対の内刃５１・５１を回転自在に軸支する内刃フレーム５０に、防護体５３および作動ばね５６が組み付けてあると、内刃ユニット１６をかみそりヘッド２から取り外した状態においても、内刃５１・５１の対向周面を防護体５３で確実に遮蔽できるので、例えばかみそりヘッド２から取り外した内刃ユニット１６の交換や清掃を行う場合に、指先が内刃５１・５１の対向周面に接触して負傷するのを防止し、安全性をさらに向上できる。
【００１９】
図１２に示すように、上下揺動自在に軸支される防護体５３と、防護体５３の揺動軸５２に固定されるピニオン５４と、上下スライド自在に案内支持されてピニオン５４を回動操作する操作ラック５５と、操作ラック５５を介して防護体５３を起立付勢する作動ばね５６などで安全機構を構成し、外刃ユニット１７に操作ラック５５を押し下げ操作する連動片６１が設けてあると、外刃ユニット１７をかみそりヘッド２に装着するのに伴い、操作ラック５５を連動片６１で押し下げ操作して防護体５３を待機姿勢に自動的に切り換え、かみそりヘッド２を使用可能な状態にできる。もちろん、外刃ユニット１７をかみそりヘッド２から取り外し操作するのに連動して、防護体５３を作動姿勢に自動的に切り換えて、内刃５１・５１の対向周面を防護体５３で確実に遮蔽できる。
【００２０】
中央空間Ｓに前後一対の防護体５３・５３を対向配置し、図１５に示すように待機位置における両防護体５３・５３の防護片５８・５８が、中央空間Ｓの前後中心を越えて、対向する基部５７・５７に近接する状態で互い違い状に突設してあると、対向する防護片５８・５８の基部５７・５７からの突出寸法を充分に確保することができるうえ、対向する防護片５８・５８によって前後一対の内刃５１・５１の対向周面を確実に遮蔽でき、両防護体５３・５３を中央空間Ｓ内にコンパクトに配置して、かみそりヘッド２の小形化を実現できる。
【００２１】
両外刃６７・６７の緊張端に固定される緊張ピース８５と、緊張ピース８５を上下動自在に支持するガイド桟８３と、緊張ピース８５を押し下げ付勢する外刃ばね８６などで外刃緊張構造を構成し、下向きに開口する断面コ字状に形成した緊張ピース８５を、ガイド桟８３で上下動は自在に、しかし前後傾動は不能に案内支持すると、一方の外刃６７が内刃５１で押し上げられ、あるいは一方の外刃６７が外刃ばね８６で押し下げられるような場合でも、緊張ピース８５が前後に係動するのを確実に防止して、前後の外刃６７・６７を対応する内刃５１・５１に常に密着させてひげ切断を適正に行える。
【００２２】
緊張ピース８５に固定される装着壁８９と、緊張ピース８５の上面に接当する上壁９０と、上壁９０に連続して張り出される複数のばね腕９１と、装着壁８９の左右側縁のそれぞれに張り出し形成した規制片９２などで外刃ばね８６を構成し、緊張ピース８５および外刃ばね８６をばね受枠６６の空所８２に組み付けた状態において、規制片９２が空所８２の左右周縁壁で受け止め支持してあると、ガイド桟８３と規制片９２との協同作用によって緊張ピース８５の前後傾動を規制できるうえ、上下変異する緊張ピース８５が後傾しようとするのを規制片９２で確実に規制して、ひげ切断をさらに確実に行うことができる。
【発明を実施するための最良の形態】
【００２３】
（実施例１）  図１ないし図１５は本発明に係る電気かみそりの実施例を示す。図２および図３において電気かみそりは、グリップを兼ねる本体部１と、本体部１の上方に配置されるかみそりヘッド２とを備えている。本体部１は、２次電池３および制御基板４などを収容する内ケース５と、内ケース５を前後面から覆う前後カバー６・７と、前カバー６の上下に組み付けられる表示パネル８、およびスイッチパネル９などで構成してある。
【００２４】
図４に示すように内ケース５は、前後に分割形成される前内ケース５ａと、後内ケース５ｂとで構成してあり、両ケース５ａ・５ｂをパッキン５ｃを介して接合しビスで締結することにより、内ケース５の内部を水密状に封止できる。前カバー６は前内ケース５ａに係合装着される。後カバー７は、前内ケース５ａに係合装着されるカバー本体７ａと、カバー本体７ａの下半部の開口を覆うグリップカバー７ｂとからなる。カバー本体７ａの上部背面には、きわ剃刃ユニット１０が組み込まれる。きわ剃刃ユニット１０は、それぞれ鋸刃状の切刃を備えた固定刃、および可動刃を備えており、可動刃に後述する受動片４４が一体的に設けてある。
【００２５】
表示パネル８は、半透明のハーフミラーで形成してあって、電気かみそりの使用時にはモーター１９の稼動状態や運転モードなどを表示でき、モーター１９を停止した状態では、ひげそり結果を確認するための鏡として使用することができる。スイッチパネル９には、モーター１９を起動あるいは停止させるための押しボタン型のスイッチボタン１２と、モーター１９の運転モードを切り換える押しボタン型のスイッチボタン１３とが設けてある。
【００２６】
図５ないし図７においてかみそりヘッド２は、基本構造体となる動力モジュールＭと、動力モジュールＭに対して後述するヘッド内枠２９を介して装着固定されるヘッドケース１５と、ヘッドケース１５に対して着脱可能に装着される内刃ユニット１６、および外刃ユニット１７などで構成してある。かみそりヘッド２は後述するフロート機構を介して本体部１に取り付けてあり、かみそりヘッド２の全体が前後、左右、上下、および斜め方向の全方位方向へ首振りできる状態で支持されている。
【００２７】
図８に示すように動力モジュールＭは、横置き配置されるモーター１９と、モーター動力を前後一対の内刃５１に伝動する第１伝動機構Ｇ１と、モーター動力をセンター刃６８およびきわ剃刃ユニット１０に伝動する第２伝動機構Ｇ２と、モーター１９、および両動力伝動系の構成部品を組み込むためのケースやカバー群で構成する。ケースおよびカバー群は、モーター１９を収容するモーターケース２０、およびモーターカバー２１と、第１伝動機構Ｇ１の減速機構２２を収容する減速ケース２３と、モーターケース２０の上面に固定されるギヤシャーシ２４、およびギヤカバー２５などからなる。
【００２８】
モーターケース２０と減速ケース２３は、それぞれアルミニウムを素材とするダイキャスト成形品からなり、モーターケース２０の外側端と、減速ケース２３の外側端のそれぞれに、左右に対向する側枠２７・２８が上向きに突設してある。モーターカバー２１、ギヤシャーシ２４、およびギヤカバー２５はいずれもプラスチック成形品からなる。
【００２９】
モーター１９をモーターケース２０に収容したうえで、パッキンを介してモーターカバー２１をモーターケース２０に組み、さらに遊星歯車機構と減速ケース２３をモーターカバー２１の外側面に組み、これら三者２０・２１・２３と、モーターケース２０の外面に装着したギヤシャーシ２４とを、減速ケース２３の側からねじ込んだ３個のビスで共締め固定することにより、４個の部材２０・２１・２３・２４を一体化している。
【００３０】
図５において、モーターケース２０の側枠２７と、減速ケース２３の側枠２８との間には四角枠状のヘッド内枠２９が配置され、各側枠２７・２８の外側方からねじ込まれるビスで固定してある。ヘッド内枠２９の四隅部分には、両側枠２７・２８を前後に挟む状態のねじボスが設けてあり、これらのねじボスにヘッドケース１５がビス３０で締結固定される。
【００３１】
図８において第１伝動機構Ｇ１は、モーター１９の回転動力は遊星歯車機構からなる減速機構２２と、減速機構２２で減速した減速動力を終段ギヤ３１に伝動する、タイミングベルトを含む巻掛伝動機構３２と、内刃ユニット１６に組み付けられる内刃ギヤ３３、および逆転ギヤ３４などで構成する。第１伝動機構Ｇ１を経て伝動された回転動力によって、前後一対の内刃５１は、互いの対向周面へ向かって内向きに回転駆動される。減速機構２２は、モーターカバー２１と減速ケース２３との間の空間に収容してあり、減速動力を出力する減速軸３５に、巻掛伝動機構３２の原動ギヤが固定してある。巻掛伝動機構３２の従動ギヤは先の終段ギヤ３１が固定される終段ギヤ軸に固定してある。
【００３２】
第２伝動機構Ｇ２は、モーターカバー２１の外側面と、モーターカバー２１およびギヤシャーシ２４の上面に沿って配置されて、モーター動力を伝動する一群のギヤ群と、終段ギヤ３７の上面に一体に設けられる偏心カム３８、および偏心ピン３９と、偏心カム３８に係合する振動アーム４０と、偏心ピン３９に係合する振動子４１などで構成する。偏心カム３８と振動アーム４０とによって変換された往復動力で、きわ剃刃ユニット１０の可動刃を往復駆動する。同様に、偏心ピン３９と振動子４１とで変換された往復動力で、センター刃６８の可動刃を往復駆動する。
【００３３】
図９に示すように、かみそりヘッド２の背面から露出する振動アーム４０の出力端には駆動溝４２が設けてあり、本体部１の背面に設けたきわ剃レバー４３を押し上げ操作して、きわ剃刃ユニット１０を使用姿勢に切り換えることにより、きわ剃刃ユニット１０の受動片４４が駆動溝４２に係合して可動刃を往復駆動できる。これによりきわ剃刃ユニット１０で長毛やくせ毛を切断できる。振動子４１は、モーター１９の回転に同期して常に往復駆動されており、その上部中央に設けた駆動軸４５がヘッドケース１５の上面に突出してセンター刃６８の可動刃と係合する。駆動軸４５とヘッドケース１５の開口との間はパッキン４６でシールしてある。
【００３４】
内刃ユニット１６は、左右に長いベース壁５０ａの両側に一対の軸受壁５０ｂを一体に起立形成した内刃フレーム５０と、内刃フレーム５０の軸受壁５０ｂの上部に配置される前後一対の内刃５１・５１と、両内刃５１の対向周面間の中央空間Ｓに配置される指詰防止用の安全機構などで構成する。図１１に向かって左方の軸受壁５０ｂには、各内刃５１と同行回転する内刃ギヤ３３・３３と、片方の内刃ギヤ３３に噛み合う逆転ギヤ３４とが回転自在に軸支してある。摩耗した内刃５１は内刃フレーム５０ごと交換するが、このとき同時に両内刃ギヤ３３と逆転ギヤ３４、および安全機構も同時に交換される。
【００３５】
内刃５１は、円柱状の樹脂基台にスパイラル状の１２枚の小刃を埋め込んで構成してあり、スパイラル状の小刃の傾きによってその切刃が内刃５１の中心軸に対して斜めに傾く。つまり各小刃の切刃にはリード角が形成されるので、引き切りが可能となりシャープな切れ味を発揮できる。内刃５１は横軸回りに回転駆動されて、網刃状の外刃６７と協同して短毛を切断する。
【００３６】
内刃ユニット１６をヘッドケース１５に装着した状態においては、一方の内刃ギヤ３３と逆転ギヤ３４とが終段ギヤ３１と同時に噛み合う。したがって、図６に示すように終段ギヤ３１が矢印方向へ回転するとき、両内刃５１・５１は互いに逆向きに回転駆動され、両内刃５１・５１の隣接側面へ向かって内向きに回転する。
【００３７】
図１および図１１において安全機構は、内刃フレーム５０の両軸受壁５０ｂで上下揺動自在に軸支される前後一対の防護体５３・５３と、各防護体５３の側端の揺動軸５２に固定されるピニオン５４と、両ピニオン５４を同時に回動操作する板状の操作ラック５５と、操作ラック５５を押し上げ付勢する作動ばね５６などで構成する。
【００３８】
図１１に示すように防護体５３は、揺動軸５２に連続する棒状の基部５７と、基部５７から所定間隔置きに突設されて内刃５１の対向周面を遮蔽する多数個の防護片５８とを一体に備えたプラスチック成形品からなる。防護体５３は、その基部５７が中央空間Ｓの下部外方に臨む状態で配置されて、図１５に示すように防護片５８が横臥して中央空間Ｓから退避する待機位置と、図１に示すように防護片５８が中央空間Ｓに進出起立して内刃５１・５１の対向周面を遮蔽する作動位置との間を往復揺動できる。
【００３９】
上記のように、待機位置において防護片５８を中央空間Ｓから退避させるのは、外刃ユニット１７をヘッドケース１５に装着した状態において、防護体５３が中央空間Ｓに収容される外刃緊張構造やセンター刃６８と接当干渉するのを避けるためである。このように基部５７を中央空間Ｓの下部外方に位置させたうえで、内刃５１・５１の対向周面を起立する防護片５８で確実に遮蔽するには、防護片５８の基部５７からの突出寸法（起立寸法）を大きくする必要がある。しかも、前後一対の防護体５３のそれぞれにおいて、防護片５８の突出寸法を大きくする必要がある。
【００４０】
上記のような相反する条件を全て満足するために、前後の防護片５８・５８を互い違い状に突設し、各防護片５８・５８を、その突端が中央空間Ｓの前後中心を越えて対向する基部５７・５７に近接するように形成した。これにより、防護体５３が作動姿勢に切り換わった状態において、内刃５１・５１の対向周面を起立する防護片５８で確実に遮蔽することができる（図１参照）。なお、駆動軸４５の往復範囲に臨む部分の防護片５８は省略してある。
【００４１】
操作ラック５５の板面の内外には、ばね受爪５９とスライド片６０とが突設してあり、ばね受爪５９を軸受壁５０ｂに形成したガイド溝６２で、スライド片６０をカバー１２０に形成したガイド溝１２１でそれぞれ案内することにより、操作ラック５５を上下スライド自在に支持できる（図１２参照）。カバー１２０は、軸受壁５０ｂの外側面に締結固定してある。作動ばね５６は圧縮コイル形のばねで形成してあり、ガイド溝６２の下端とばね受爪５９との間に配置されて、操作ラック５５を防護片５８が起立する向きに押し上げ付勢する。作動ばね５６の付勢力に逆らって操作ラック５５を押し下げ操作するために、後述するカートリッジ枠６５に連動片６１が設けてある（図１２参照）。
【００４２】
図７および図１２に示すように、外刃ユニット１７をかみそりヘッド２から分離した状態においては、ばね受爪５９がガイド溝６２の上端で受け止められて、操作ラック５５の上端５５ａが軸受壁５０ｂの周縁壁に開口した操作開口５０ｃに臨んでいる。つまり、防護体５３が作動姿勢に切り換わった状態においても、操作ラック５５の上端５５ａは軸受壁５０ｂの外郭線内に位置保持される。そのため、外刃ユニット１７を分離した状態において、操作ラック５５が誤って押し下げ操作され、防護体５３が待機姿勢に切り換わるのを確実に防止でき、内刃ユニット１６の清掃や交換などを安全に行える。先の連動片６１は、操作開口５０ｃ内に進入して操作ラック５５を押し下げ操作する。
【００４３】
図１３および図１４において、外刃ユニット１７は、上下面が開口する外刃ホルダー６３と、外刃ホルダー６３に着脱可能に装着される外刃カートリッジ６４とからなる。外刃カートリッジ６４は、上下面が開口するカートリッジ枠６５と、カートリッジ枠６５の内面の前後中央に配置されるばね受枠６６と、カートリッジ枠６５とばね受枠６６とで逆Ｕ字状に保形支持される網刃からなる前後一対の外刃６７・６７と、両外刃６７・６７の間に装着されるセンター刃６８などで構成する。
【００４４】
カートリッジ枠６５の左右側壁には、前後一対の弾性係合爪７０が一体に形成してあり、これらの係合爪７０が、外刃ホルダー６３の側壁内面に設けた係合凹部７１に落ち込み係合することにより、外刃カートリッジ６４を外刃ホルダー６３に装着固定できる。外刃ホルダー６３の両側壁には、弾性係合爪７０の係合を解除操作するロックボタン７２が設けてある。このロックボタン７２を押し込み操作すると、外刃カートリッジ６４を外刃ホルダー６３から取り外すことができる。
【００４５】
カートリッジ枠６５の左右側壁の内面には、断面が逆Ｌ字状の装着腕７４が一体に形成してあり、その対向壁面の上部にセンター刃６８が装着され、下部にばね受枠６６が係合固定してある。図１４に示すように、一方の装着腕７４に先に説明した連動片６１が下向きに突設してある。センター刃６８は、それぞれスリット刃を備えた固定刃７５、可動刃７６と、固定刃７５の両端内面に固定される取付片７７と、可動刃７６の内面中央に固定される連結片７８と、連結片７８に固定されて可動刃７６を密着付勢する板ばね７９などで構成してある。先に説明した駆動軸４５の往復動力は、連結片７８を介して可動刃７６に伝動される。
【００４６】
図１３に示すようにばね受枠６６は、左右横長の断面四角形状のプラスチックブロックからなり、その左右中央に連結片７８用の逃げ穴８１が上下貫通状に形成され、逃げ穴８１の左右両側に前後貫通状の空所８２が形成され、空所８２の下部に前後幅の小さなガイド桟８３が形成してある。
【００４７】
前後一対の外刃６７は、それぞれの固定端がカートリッジ枠６５の前壁内面、および後壁内面に、それぞれ装着板８４を介して溶着固定される。さらに、カートリッジ枠６５の前後中央で隣接する緊張端が、ばね受枠６６に設けた外刃緊張構造によって緊張付勢され、これにより両外刃６７を内刃５１に常に密着させることができる。
【００４８】
外刃緊張構造は、前後の外刃６７の緊張端が固定される緊張ピース８５と、空所８２に収容した緊張ピース８５を上下動自在に支持するばね受枠６６のガイド桟８３と、緊張ピース８５と空所８２の上壁（ばね受枠６６）との間に配置されて、緊張ピース８５を押し下げ付勢する外刃ばね８６などで構成する。緊張ピース８５は、下向きに開口する断面コ字状のプラスチック成形品からなり、断面が四角形状のガイド桟８３で上下動は自在に、しかし前後傾動は不能に案内支持される。緊張ピース８５の前後壁には、それぞれ左右一対の溶着ピンが突設してあり、これらの溶着ピンで外刃６７の緊張端と外刃ばね８６とが溶着固定されて、緊張ピース８５と一体化してある。
【００４９】
外刃ばね８６は、緊張ピース８５の前面に沿う平板状の装着壁８９と、緊張ピース８５の上面で受け止められる上壁９０と、上壁９０に連続して斜め上方向へ張り出される左右のばね腕９１と、装着壁８９の左右側縁の上端に張り出し形成した規制片９２とを一体に備えた、ステンレス製の板ばねからなる。先に説明したように装着壁８９を外刃６７の緊張端と共に溶着固定することにより、外刃ばね８６が緊張ピース８５と一体化される。緊張ピース８５および外刃ばね８６をばね受枠６６に組み込んだ状態においては、緊張ピース８５がガイド桟８３でスライド案内され、さらに外刃ばね８６の規制片９２が空所８２の左右周縁壁で受け止め支持されるので、緊張ピース８５は上下スライドのみ可能に支持される。
【００５０】
ヘッドケース１５の上面に装着した外刃ユニット１７を分離不能にロック保持するために、ヘッドケース１５と外刃ホルダー６３との内面左右にロック体１１６を設け、ロック体１１６をばね１１７で外刃ホルダー６３と係合する向きにロック付勢している（図７参照）。ロック体１１６をばね１１７に抗して押し込み操作すると、外刃ホルダー６３の内面の係合凹部１１８とロック体１１６の係合爪との係合が解除されるので、外刃ユニット１７をヘッドケース１５から取り外すことができる。図１５に示すように外刃ユニット１７をヘッドケース１５に装着した状態では、前後の外刃６７・６７を保形するばね受枠６６が防護片５８を受け止めて、防護体５３を作動ばね５６の付勢力に逆らって水平姿勢に位置保持している。
【００５１】
ヘッドケース１５の上面に嵌合装着した内刃ユニット１６を分離不能にロック保持するために、ヘッド内枠２９に四角形のロック枠９５を組み込み、ばね９６でロック付勢している。図５に示すようにロック枠９５の前後枠の左右には、ヘッドケース１５の上面に突出する４個のロック爪９７が設けてあり、これらの爪９７が内刃フレーム５０の下面に設けた係合片９８（図１および図６参照）と係合して、内刃ユニット１６をロック保持している。
【００５２】
ロック枠９５は、モーターケース２０側の側枠２７の外側面に設けた解除ノブ９９でロック解除操作できる。解除ノブ９９を押し下げ操作して、ロック枠９５の下面前後に設けた受動脚片１００をばね９６の付勢力に抗して横移動させると、ロック爪９７と係合片９８との係合を解除して、内刃フレーム５０をヘッドケース１５から取り外すことができる。解除ノブ９９の操作突起のスライド範囲を除く外面は、側枠２７に締結固定したカバー１０１で覆ってある。図９において符号１０２は、ヘッドケース１５に係合装着されて動力モジュールＭの下半周面を前後から覆う、断面が部分円弧状のカバーである。
【００５３】
内刃５１が回転駆動されているとき、その回転を阻止する向きの過剰な外部負荷が内刃５１に作用し、あるいは防護片５８を作動姿勢に押し広げるような過剰な外力が作用すると、終段ギヤ３１の回転モーメントによって内刃ユニット１６の全体が上向きに浮離れようとする。この浮離れる向きの力がロック爪９７と係合片９８の係合力より大きくなると、ロック爪９７と係合片９８との係合状態が解除され、同時に、内刃ギヤ３３および逆転ギヤ３４と終段ギヤ３１との噛合い状態が解除される。その結果、内刃５１への動力伝動が停止されるので、例えば衣服の一部が内刃５１に巻き込まれるような場合でも、使用者が負傷するのを確実に防止し、安全性を向上できる。
【００５４】
図９および図１０においてかみそりヘッド２を支持するフロート機構は、内ケース５の上端に固定されるフロートベース１０４と、フロートベース１０４と動力モジュールＭとの間に配置される左右一対の圧縮コイル形のばね１０５・１０５などからなる。フロートベース１０４は、中央の連結座１０６と、連結座１０６から段落ち状に折り曲げられる左右一対のばね受アーム１０７と、連結座１０６から段落状に折り曲げられる前後一対の装着アーム１０８とを一体に備えたプレス成形品からなる。
【００５５】
図１０に示すように、連結座１０６の中央部分に下面側から挿通した連結ボス１１０を、モーターケース２０の下面中央に設けたねじボス１１１に外嵌装着し、これら両者１１０・１１１を連結ボス１１０の側からねじボス１１１にねじ込まれるビス１１２で締結することにより、フロートベース１０４をかみそりヘッド２と一体化できる。ばね１０５は、左右のばね受アーム１０７と、動力モジュールＭとの間に介装されて圧縮変形されている。前側の装着アーム１０８を内ケース５に設けた係合凹部１１３に差し込み係合し、後側の装着アーム１０８の前後二箇所をビス１１４で内ケース５に締結することにより、かみそりヘッド２が本体部１と一体化されて、かみそりヘッド２の全体が前後、左右、上下、および斜め方向の全方位方向へ首振りできる。
【００５６】
上記構成の電気かみそりは、従来の電気かみそりに比べて内刃５１をより高速度で回転駆動して、従来の電気かみそりに比べてひげ切断をより迅速に行え、しかもひげそり時にひげが引っ張られる感じ（引っ張り感）を抑止して、より快適にひげをそり落とすことができる。従来の電気かみそりでは、モーターの駆動回転数が３０００ｒｐｍであるとき、内刃の周速度を1.０〜1.２７ｍ／秒としていたが、上記実施例の電気かみそりではモーター１９の駆動回転数を４３００ｒｐｍに増速して、内刃５１の周速度を1.４６ｍ／秒にまで高速化した。なお、内刃５１の周速度は、内刃５１の直径寸法を従来の内刃の直径寸法と同じ6.５mmとした場合の比較値である。
【００５７】
上記のように、内刃５１の周速度を高速化すると、内刃５１のスパイラル切刃とひげとの接触機会が増えるので、ひげ切断を効果的に行える。さらに正転方向に回転する内刃５１でひげ切断を行ったのち、逆転する内刃５１が、正転する内刃５１で切断されたひげを再捕捉するまでの時間を短くできるのでひげを深ぞりできる。
【００５８】
上記の実施例では、内刃５１の中央空間Ｓに前後一対の防護体５３を設けたが、その必要はなく、防護体５３は前後いずれかに１個あればよい。待機位置から上方移動する１個の防護体５３で中央空間Ｓを塞ぎ、内刃５１・５１の対向周面を同時に遮蔽することもできる。さらに、図１６に示すように、防護片５８を断面逆Ｌ字状に形成しておき、その縦壁５８ａと、横壁５８ｂとで内刃５１・５１の対向周面を同時に遮蔽することができる。
【００５９】
前後一対の防護体５３はピニオン−ラック機構を介して連動する必要はなく、前後の揺動軸５２に設けたレバーを連動片６１で押し下げ操作して、前後の防護体５３の姿勢を待機位置へ変位操作することができる。防護片５８はＴ字状や逆Ｌ字状に形成することができる。
【００６０】
上記の実施例におけるきわ剃刃ユニット１０やセンター刃６８は省略することができる。前段伝動機構における減速動力は、巻掛伝動機構で終段ギヤに伝動することが好ましいが、必要があればギヤ群で伝動することができる。モーター１９は縦長姿勢で配置することができる。モーターケースは容器状に構成する必要はなく枠状に構成することができる。減速機構は遊星歯車機構である必要はなく、一群のギヤで順に減速を行うギヤ減速機構であってもよい。
【図面の簡単な説明】
【００６１】
【図１】外刃ユニットを分離した状態のかみそりヘッドの縦断側面図である。
【図２】電気かみそりの正面図である。
【図３】電気かみそりの側面図である。
【図４】本体部の構造を示す分解斜視図である。
【図５】かみそりヘッドの分解斜視図である。
【図６】一部構造を破断した外刃および内刃の分解側面図である。
【図７】一部構造を破断したかみそりヘッドの分解正面面図である。
【図８】動力伝動構造を展開した状態で示す説明図である。
【図９】かみそりヘッドの縦断側面図である。
【図１０】かみそりヘッドの縦断正面図である。
【図１１】内刃ユニットの分解斜視図である。
【図１２】防護体の連動構造を示す縦断側面図である。
【図１３】外刃ユニットの分解斜視図である。
【図１４】外刃カートリッジの縦断正面図である。
【図１５】外刃ユニットを装着した状態のかみそりヘッドの縦断側面図である。
【図１６】防護片の別の実施例を示す断面図である。
【符号の説明】
【００６２】
１  本体部
２  かみそりヘッド
１６  ヘッドケース
１７  内刃ユニット
１８  外刃ユニット
５０  内刃フレーム
５１  内刃
５３  防護体
５４  ピニオン
５５  操作ラック
５８  防護片
【図１】
0004775884.tif 000002
【図２】
0004775884.tif 000003
【図３】
0004775884.tif 000004
【図４】
0004775884.tif 000005
【図５】
0004775884.tif 000006
【図６】
0004775884.tif 000007
【図７】
0004775884.tif 000008
【図８】
0004775884.tif 000009
【図９】
0004775884.tif 000010
【図１０】
0004775884.tif 000011
【図１１】
0004775884.tif 000012
【図１２】
0004775884.tif 000013
【図１３】
0004775884.tif 000014
【図１４】
0004775884.tif 000015
【図１５】
0004775884.tif 000016
【図１６】
0004775884.tif 000017